(57)【要約】【課題】空気調和装置を安定した姿勢で縦置きにも横置きにも設置することができる空気調和装置用スタンドを提供する。【解決手段】筐体の外周面１ｄに空気吸込口２を有し、筐体の上端面に空気吹出口３が設けられた空気調和装置１の外周面１ｄの一部を覆い、残りの部分を外部に露出させるように収納するスタンド本体２０を有し、スタンド本体２０に空気調和装置１を縦置きに設置するための第１スタンド部３０と、横置きに設置するための第２スタンド部４０とを設ける。【選択図】図４
2015141001.tif 000002
【特許請求の範囲】
【請求項１】
筐体の外周面に空気吸込口を有し、上記筐体の上端面に空気吹出口が設けられ、上記筐体内に送風ファンを含む空気調和手段を収納する上記筐体の底面を設置面として被設置面に対して縦置き可能な空気調和装置に適用される空気調和装置用スタンドにおいて、
上記空気調和装置用スタンドは、上記空気調和装置の上記筐体の外周面の一部を所定距離離間して囲む囲壁を有し、上記囲壁内に上記空気調和装置を収納するスタンド本体を備え、
上記スタンド本体は、上記空気調和装置が収納された状態で上記被設置面に対して縦置き、横置きのいずれもが可能であり、
上記スタンド本体の基端側には、上記筐体の底面と対向するように配置され、上記スタンド本体を上記被設置面に対して縦置きする際に用いられる平板からなる第１スタンド部が一体に設けられているとともに、上記囲壁の一部分には、上記スタンド本体を上記被設置面に対して横置きする際に用いられる平坦面からなる第２スタンド部が形成されていることを特徴とする空気調和装置用スタンド。
【請求項２】
上記スタンド本体の上端側には、上記筐体の空気吹出口から吹き出された空気を案内する風向部が一体に設けられていることを特徴とする請求項１に記載の空気調和装置用スタンド。
【請求項３】
上記スタンド本体の内面には、上記スタンド本体の内面には、上記スタンド本体を上記被設置面に対して横置き設置した際に上記空気調和装置を上記平坦面に対して水平となるように支持する筐体支持部が設けられていることを特徴とする請求項１または２に記載の空気調和装置用スタンド。
【発明の詳細な説明】
【技術分野】
【０００１】
本発明は、車内や卓上などで使用される空気調和装置を保持する空気調和装置用スタンドに関する。
【背景技術】
【０００２】
最近では、自動車やオフィスのデスク周りなどの比較的狭い空間の空気に対して空気清浄を行う空気調和装置が種々提案されている。例えば特許文献１には、有底な円筒型の筐体内にイオン発生器や送風ファン、駆動回路などを組み込み、吸い込んだ空気とともにマイナスイオンを吹き出して、空気中を浮遊するカビや細菌等を不活性化する空気調和装置が開示されている。
【０００３】
図５に示すように、この種の空気調和装置１は、内部に図示しない集塵フィルタ、イオナイザ、送風ファンなどを有する円筒状の筐体１ａを備え、筐体１ａの外周面１ｄに沿って設けられた空気吸込口２から筐体１ａ内に空気を吸い込み、調和された空気を上端面１ｃに設けられた空気吹出口３から吹き出す。筐体１ａの底面１ｂは平坦面であり、車内ではカップホルダーＨの被設置面Ｆ１に設置された状態で使用する。また、小型で持ち運びが容易であるため、卓上でも使用することができる。
【０００４】
しかしながら、特許文献１に記載の空気調和装置は、車載用途として、車内のカップホルダーに設置することを前提として有底な円筒型の筐体を用いているため、卓上に設置した場合、振動や衝撃で転倒しやすいばかりでなく、もし転倒した場合、転がって床に落下するおそれがある。また、そもそも転がりやすい円筒形状であるが故に、横に寝かせての設置には不向きである。
【先行技術文献】
【特許文献】
【０００５】
【特許文献１】特開２０１３−１４１８８０号公報
【発明の概要】
【発明が解決しようとする課題】
【０００６】
そこで、本発明の解決は、空気調和装置を安定した姿勢で縦置きにも横置きにも設置することができる空気調和装置用スタンドを提供することにある。
【課題を解決するための手段】
【０００７】
上述した課題を解決するため、本発明は、筐体の外周面に空気吸込口を有し、上記筐体の上端面に空気吹出口が設けられ、上記筐体内に送風ファンを含む空気調和手段を収納する上記筐体の底面を設置面として被設置面に対して縦置き可能な空気調和装置に適用される空気調和装置用スタンドにおいて、上記空気調和装置用スタンドは、上記空気調和装置の上記筐体の外周面の一部を所定距離離間して囲む囲壁を有し、上記囲壁内に上記空気調和装置を収納するスタンド本体を備え、上記スタンド本体は、上記空気調和装置が収納された状態で上記被設置面に対して縦置き、横置きのいずれもが可能であり、上記スタンド本体の基端側には、上記筐体の底面と対向するように配置され、上記スタンド本体を上記被設置面に対して縦置きする際に用いられる平板からなる第１スタンド部が一体に設けられているとともに、上記囲壁の一部分には、上記スタンド本体を上記被設置面に対して横置きする際に用いられる平坦面からなる第２スタンド部が形成されていることを特徴としている。
【０００８】
より好ましい態様として、上記スタンド本体の上端側には、上記筐体の空気吹出口から吹き出された空気を案内する風向部が一体に設けられている。
【０００９】
さらに好ましい態様として、上記スタンド本体の内面には、上記スタンド本体を上記被設置面に対して横置き設置した際に上記空気調和装置を上記平坦面に対して水平となるように支持する筐体支持部が設けられている。
【発明の効果】
【００１０】
本発明によれば、空気調和装置の外周面の一部を覆うスタンド本体に、縦置き用の第１スタンド部と、横置き用の第２スタンド部とを設けることにより、空気調和装置を安定した姿勢で縦置きにも横置きにも設置することができる。
【図面の簡単な説明】
【００１１】
【図１】本発明の空気調和装置用スタンドに空気調和装置を取り付けた状態の斜視図。
【図２】本発明の空気調和装置用スタンドの斜視図。
【図３】本発明の空気調和装置用スタンドの（ａ）正面図、（ｂ）背面図、（ｃ）左側面図および（ｄ）Ａ−Ａ線断面図。
【図４】（ａ）空気調和装置用スタンドを用いて空気調和装置を縦置きした状態の模式図、（ｂ）空気調和装置用スタンドを用いて空気調和装置を横置きした状態の模式図。
【図５】空気調和装置の使用形態を説明する模式図。
【発明を実施するための形態】
【００１２】
空気調和装置１は、図５に示すように、下部より上部が膨らんだ円筒状の筐体１ａを備え、筐体１ａの外周面１ｄに沿って設けられた空気吸込口２を有し、筐体１ａの上端面１ｃに空気吹出口３が設けられ、筐体１ａ内に図示しない集塵フィルタ、イオナイザおよび送風ファンを含む空気調和手段が収納され、空気吸込口２から筐体１ａ内に空気を吸い込み、空気調和手段で調和された空気を上端面１ｃに設けられた空気吹出口３から吹き出すようになっている。尚、筐体１ａの形状は円筒状に限らない。例えば図示しないが四角柱状や多角柱状または樽状やそれらの組み合わせでもよい。
筐体１ａの底面１ｂは平坦面であり、自動車の車内ではカップホルダーＨの被設置面Ｆ１に縦置きに設置した状態で使用する。また、卓上でも使用することができる。
【００１３】
次に、本発明の実施形態について図１〜４を参照しながら説明するが、本発明はこれに限定されない。
図１に示すように、この空気調和装置用スタンド１０（以下、単にスタンド１０という）は、空気調和装置１の外周面１ｄの一部（図１では外周面１ｄの半周面）を覆い、残りの部分を外部に露出させる半円筒状（舟形状）のスタンド本体２０を備えている。この実施形態において、スタンド１０は合成樹脂による一体成形品である。
【００１４】
スタンド本体２０は、図１に示す空気調和装置１を縦置きする際の位置に合わせて、下方を基端側、上方を上端側として以下説明する。
図２および図４に示すように、スタンド本体２０は、筐体１ａの外周面１ｄの半周面を所定距離Ｇ（例えば吸込空気がスタンド本体２０の内部まで流入できる距離）離間して囲む半円筒状（舟形状）の囲壁２０ａを有し、囲壁２０ａの上端側（図２では右側）には、空気調和装置１の空気吹出口３から吹き出された空気の向きをスタンド本体２０の開放された方向の前方に案内する半ドーム状の風向部２１が一体的に設けられている。囲壁２０ａの縁と風向部２１の縁で囲まれた仮想の面が開放面２４となる。
【００１５】
囲壁２０ａは、空気調和装置１の筐体１ａの外周面１ｄの一番膨らんだ形状に合わせて形成された円弧面からなり、空気調和装置１の筐体１ａの底面１ｂから上端面１ｃにかけて外周面１ｄのほぼ半周部分を覆うように設けられている。
【００１６】
風向部２１は、空気調和装置１の空気吹出口３を覆うように形成された半ドーム状のフードであり、半ドーム状のフードの内面に沿って空気吹出口３から吹き出された空気が、スタンド本体２０の開放面２４側の前方に案内されるようになっている。この例において、風向部２１は、空気吹出口３のほぼ半分の面積を覆う大きさである。
【００１７】
スタンド本体２０の基端側（図２では左側）には、スタンド１０を縦置き設置するための第１スタンド部３０が設けられている。第１スタンド部３０は、スタンド本体２０の基端側を塞ぐように形成され、その一部がスタンド本体２０の開放面２４側に張り出すように形成された円盤体であり、第１スタンド部３０の底面がスタンド本体２０を縦置きする際の設置面３０ａとなる。
【００１８】
この実施形態において、第１スタンド部３０は、スタンド本体２０の形状との調和を図るため、スタンド本体２０の囲壁２０ａに沿った円盤状に形成されているが、例えば四角形や三角形などであってもよいし、Ｕ字形状であってもよく、スタンド本体２０の開放面から張り出すように設けられていれば良い。
【００１９】
スタンド本体２０の囲壁２０ａには、スタンド本体２０を横置き設置するための第２スタンド部４０が設けられている。第２スタンド部４０は、スタンド本体２０の開放面２４とは反対側の囲壁２０ａの一部を平坦面４１とした、いわゆるＤカット面である。
【００２０】
この実施形態において、第２スタンド部４０は、図４（ｂ）に示すようにスタンド本体２０の基端から空気調和装置１の高さとほぼ同じ長さにわたって設けられている。これによれば、第２スタンド部４０の平坦面４１を被設置面Ｆに沿って設置することで、スタンド本体２０を被設置面Ｆに対して水平に安定して設置することができる。
【００２１】
図５に示す空気調和装置１の外周面１ｄは、底面１ｂから上端面１ｃに向かうにつれて外径が大きくなるため、そのままスタンド本体２０内に横置きすると、空気吹出口３が斜めを向いた状態となる。そこで、図４に示すようにスタンド本体２０の内面には、スタンド１０を横置き設置した際に、空気調和装置１を平坦面４１に対して水平となるように支持する筐体支持部が設けられている。筐体支持部は第１支持部２２と第２支持部２３とからなる。
【００２２】
図３および図４に示すように、第１支持部２２は、スタンド本体２０の第１スタンド部３０と第２スタンド部４０との隅部に配置されており、第２スタンド部４０の内面から開放面２４に向けて突設された凸部である。
【００２３】
また、第１支持部２２の先端（図４（ｂ）では上端）には、空気調和装置１の外周面１ｄの一部を支持する支持面２２１が設けられている。この実施形態において、支持面２２１は、空気調和装置１の外周面１ｄの形状に合わせて円弧状に形成されている。
【００２４】
この実施形態において、第１支持部２２は、空気調和装置１の外周面１ｄに沿って当接する支持面２２１を備えているが、なお、より安定性を高めるには、例えば空気調和装置１の外周面１ｄに第１支持部２２の一部を案内する凹部を設けておき、そこに第１支持部２２の一部を差し込むようにしてもよい。
【００２５】
スタンド１０にはさらに、空気調和装置１の外周面１ｄに設けられている空気吸込口２をスタンド本体２０の内面から離した状態で支持する第２支持部２３が設けられている。第２支持部２３は、第２スタンド部４０の平坦面４１の中央に配置されており、第２スタンド部４０の内面から開放面２４に向けて所定の高さをもって突設された凸部である。
【００２６】
第２支持部２３の先端には、空気調和装置１の外周面１ｄに設けられた図示しない係止部（例えば空気吸込口２のスリット孔に差し込んで係止されてもよい）に係止される係止爪２３１が設けられている。係止爪２３１は、第２支持部２３の先端から図４（ａ）の上方に向かってに沿って突設された舌片であって、空気調和装置１の係止部に引っ掛けることで、空気調和装置１がスタンド１０に係止される。
【００２７】
これによれば、第２支持部２３を空気調和装置１に係止することで、スタンド本体２０の内面と空気調和装置１との間に距離Ｇが確保されるため、空気がスタンド本体２０の内部まで流入でき、スタンド本体２０によって空気吸込口２の一部が塞がれて空気調和性能が低下することを防ぐことができる。また、係止爪２３１を用いて空気調和装置１とスタンド１０とを固定することにより、縦置きした際の安定性をさらに高めることができる。
【００２８】
この実施形態において、スタンド本体２０は、囲壁２０ａが空気調和装置１の形状に合わせて半割円筒状に形成されているが、風向部２１の内面が風を案内する円弧状に形成され、第１スタンド部３０と第２スタンド部４０とスタンド本体２０の内面に第１支持部２２と２支持部２３が設けられ、スタンド本体２０の内面と空気調和装置１との間に距離Ｇが確保されていれば囲壁２１の形状は仕様に応じて変更可能である。例えば、図示しないが囲壁２１の幅が風向部２１から第１スタンド部３０に向かい徐々に狭くなるようにしてもよく、図示しないが角筒状であってもよい。
【００２９】
また、スタンド本体２０の囲壁２０ａを、例えば３つの平坦面を組み合わせて断面コ字状に形成すれば、各平坦面を被設置面Ｆに沿って設置することにより、開放面を上向きだけでなく、横向きにした状態で設置することもできる。
【００３０】
以上説明したように、本発明の空気調和装置用スタンド１０によれば、空気調和装置１に取り付けることで、縦置きと横置きの２つの設置態様で安定した姿勢を維持できる。また、空気調和装置１の外周面１ｄをスタンド本体２０の内面から浮かせることで、空気吸込口２を塞いで吸気効率が落ちることを防止できる。さらには、スタンド本体２０の囲壁２０ａの上端側に風向部２１を設けることで、空気吹出口３から吹き出した空気を無理なくスタンド本体２０の開放された方向の前方に導くことができ、必要とされる方面にスタンド１０を向けて設置することで吹き出し方向を制御でき、小型の空気調和装置１でも十分な空気清浄した空気を得ることができる。
【符号の説明】
【００３１】
１  空気調和装置
１ａ  筐体
１ｄ  外周面
２  空気吸込口
３  空気吹出口
１０  空気調和装置用スタンド
２０  スタンド本体
２０ａ  囲壁
２１  風向部
２２  第１支持部
２３  第２支持部
２４  開放面
３０  第１スタンド部
４０  第２スタンド部
４１  平坦面
【図１】
2015141001.tif 000003
【図２】
2015141001.tif 000004
【図３】
2015141001.tif 000005
【図４】
2015141001.tif 000006
【図５】
2015141001.tif 000007